(57)【特許請求の範囲】
【請求項１】
バンド部をロック部に貫通させ前記ロック部に対して前記バンド部を任意の位置で係合させることが可能な結束バンドを把持するための結束バンド把持用先端工具であって、
把持工具本体の先端部に取付けられ、前記把持工具本体の操作によって前記結束バンドを把持する方向に移動可能な可動部と、
前記可動部に形成され、前記結束バンドの前記ロック部を収容するロック部収容部と、
前記可動部に形成され、前記ロック部収容部に収容された前記ロック部に向けて前記バンド部の先端部を導くバンド部導入口と、
前記可動部に形成され、前記ロック部を貫通した前記バンド部の先端部を前記可動部の外側に排出させるためのバンド部排出口と、
を備えたことを特徴とする結束バンド把持用先端工具。
【請求項２】
前記バンド部導入口における前記バンド部の厚み方向の規制幅が前記ロック部収容部に近づくにつれて徐々に小に設定されていることを特徴とする請求項１に記載の結束バンド把持用先端工具。
【請求項３】
前記把持工具本体は、レバーおよびロッドを介して前記可動部の移動操作が可能であることを特徴とする請求項１または２に記載の結束バンド把持用先端工具。
【発明の詳細な説明】
【技術分野】
【０００１】
この発明は、配電設備の保守作業などに用いる結束バンドを離れた位置から容易に結束することが可能な結束バンド把持用先端工具に関する。
【背景技術】
【０００２】
配電設備の保守作業などでは、作業の安全を確保するために、電線などに防具類や絶縁テープなどの資材類が取付けられる。この防具類や資材類の電線への取付けは、「やっとこ」と呼ばれる既存の先端工具を用いた間接活線工法によって行われている。
【０００３】
間接活線工法に関する従来技術の一例として、絶縁テープを巻き付けるための先端工具（特許文献１参照。）や、被覆対象物をシートで被覆する作業を迅速に行うためのシート用クランプ（特許文献２参照。）が知られている。また、従来技術のその他の例として、電線を保護するための防護管を安全に取付けるための防護管の落下防止具（特許文献３参照。）や、複数の防護管を軸方向に連結可能し、電線からの落下を確実に防止することを可能にした電線防護管（特許文献４参照。）も知られている。
【先行技術文献】
【特許文献】
【０００４】
【特許文献１】特開２００８−１７６００号公報
【特許文献２】特開平８−２１４１５号公報
【特許文献３】特開２００２−２３３０１４号公報
【特許文献４】特許第３０１５３６１号公報
【発明の概要】
【発明が解決しようとする課題】
【０００５】
しかし、特許文献１の絶縁テープを巻き付ける作業は、巻き付け部における作業空間がある程度必要であり、電線の両引留部分などの装柱が複雑な箇所では作業が困難になるという問題がある。また、間接活線工法における絶縁テープを用いた作業は、離れた位置から絶縁テープを操作する必要があるので熟練が必要であり、多くの時間を費やすという問題もある。特許文献２のシート用クランプを用いた作業は、シート用クランプを電線や鉄塔の腕金に固定することになるが、シート用クランプを残置する場合は、落下防止に対する管理などが必要になるとともに、その残置期間については他の作業にシート用クランプを有効活用することができず、コスト面で問題がある。
【０００６】
特許文献３は、防護管の落下防止対策としては有効であるが、防護管の落下を確実に防止するためには、多数の落下防止具を必要とすることからコスト面で問題がある。特許文献４は、防護管の軸方向端部に連結のための係合部を形成する必要があり、構造が特殊となるため一般の防護管との互換性がなく、使用範囲が限定されるという問題がある。
【０００７】
ところで、従来から電気工事においては、複数の電線などを結束するためのインシュロック（登録商標）と呼ばれる結束バンドが用いられている。結束バンドは、合成樹脂から構成されており、バンド部とロック部との係合により迅速に結束することが可能あり、安価であることから、残置してもシート用クランプのように、コストの面で問題とはならない。しかし、間接活線工法に結束バンドを用いた場合は、離れた位置からバンド部とロック部とを位置合わせする必要があり、間接活線工法に用いられる既存の工具では迅速な結束ができないという問題がある。したがって、離れた位置からバンド部とロック部との位置合わせ容易にできる先端工具があれば、結束バンドを用いた間接活線工法が可能となり、作業の迅速化と低コスト化が図れる。
【０００８】
そこで本発明は、結束バンドのバンド部とロック部とを離れた位置から容易に係合させることが可能な結束バンド把持用先端工具を提供することを目的とする。
【課題を解決するための手段】
【０００９】
上記目的を達成するために請求項１に記載の発明は、バンド部をロック部に貫通させ前記ロック部に対して前記バンド部を任意の位置で係合させることが可能な結束バンドを把持するための結束バンド把持用先端工具であって、把持工具本体の先端部に取付けられ、前記把持工具本体の操作によって前記結束バンドを把持する方向に移動可能な可動部と、前記可動部に形成され、前記結束バンドの前記ロック部を収容するロック部収容部と、前記可動部に形成され、前記ロック部収容部に収容された前記ロック部に向けて前記バンド部の先端部を導くバンド部導入口と、前記可動部に形成され、前記ロック部を貫通した前記バンド部の先端部を前記可動部の外側に排出させるためのバンド部排出口と、を備えたことを特徴とする結束バンド把持用先端工具である。
【００１０】
この発明によれば、把持工具本体の操作によって可動部が把持方向に移動し、可動部によって結束バンドが把持された状態では、ロック部は可動部のロック部収容部に収容される。その後、バンド部の先端部がバンド部導入口に案内されてロック部に挿入され、ロック部を貫通したバンド部の先端部がバンド部排出口から排出される。
【００１１】
請求項２に記載の発明は、請求項１に記載の結束バンド把持用先端工具において、前記バンド部導入口における前記バンド部の厚み方向の規制幅が前記ロック部収容部に近づくにつれて徐々に小に設定されていることを特徴としている。
【００１２】
請求項３に記載の発明は、請求項１または２に記載の結束バンド把持用先端工具において、前記工具本体は、レバーおよびロッドを介して前記可動部の移動操作が可能であることを特徴としている。
【発明の効果】
【００１３】
請求項１に記載の発明によれば、可動部によって結束バンドが把持された状態では、バンド部の先端部がバンド部導入口を介してロック部収容部に収容されたロック部に案内され、ロック部を貫通したバンド部の先端部がバンド部排出口から排出されるので、結束バンドのバンド部とロック部とを離れた位置から容易に係合することが可能となる。したがって、絶縁テープやシート用クランプなどを用いた従来の間接活線工法に比べ、作業の迅速化と低コスト化を図ることができる。
【００１４】
請求項２に記載の発明によれば、バンド部導入口はロック部収容部に近づくにつれてバンド部の厚み方向の規制幅が小に設定されているので、バンド導入口に導かれたバンド部の先端部を容易に結束バンドのロック部に案内することができ、作業能率を高めることができる。
【００１５】
請求項３に記載の発明によれば、把持工具本体は、レバーおよびロッドを介して可動部の移動操作が可能であるので、大きく離れた位置からでも結束バンドの結束を行うことが可能となる。
【図面の簡単な説明】
【００１６】
【図１】本発明の実施の形態に係わる結束バンド把持用先端工具の要部斜視図である。
【図２】図１の結束バンド把持用先端工具によって結束バンドを把持した状態を示す斜視図である。
【図３】図１の結束バンド把持用先端工具の可動部の斜視図である。
【図４】図１の結束バンド把持用先端工具の可動部の断面図である。
【図５】図４のＡ−Ａ線に沿う側面図である。
【図６】図１の結束バンド把持用先端工具の全体を示す正面図である。
【図７】図１の結束バンド把持用先端工具に結束バンドを把持させた状態を示す斜視図である。
【図８】図１の結束バンド把持用先端工具と結束バンドとを用いた間接活線工法による防護管の取付け作業を示す斜視図である。
【図９】図１の結束バンド把持用先端工具に用いられる結束バンドの斜視図である。
【図１０】図９の結束バンドを用いて電線に取付けられた防護管の断面図である。
【図１１】図４の可動部の変形例を示す断面図である。
【発明を実施するための形態】
【００１７】
つぎに、この発明の実施の形態について、図面を用いて詳しく説明する。
【００１８】
図１ないし図１０は、本発明の実施の形態を示している。図１に示すように、結束バンド把持用先端工具１は、例えば配電設備の保守作業などに用いる結束バンドを結束するために用いられる。図９に示すように、結束バンド１００は、例えば電気的絶縁性能を有する合成樹脂から構成されており、バンド部１００ａとロック部１００ｂとを有している。バンド部１００ａは、ロック部１００ｂから一方向に延びており、その先端部Ｓは結束前の状態では自由端となっている。結束バンド１００は、バンド部１００ａをロック部１００ｂに貫通させた状態では、ロック部１００ｂに対してバンド部１００ａを任意の位置で係合させることが可能となっている。すなわち、バンド部１００ａは、結束方向に所定の間隔をもって形成された多数の溝Ｍを有しており、ロック部１００ｂを貫通するバンド部１００ａの溝Ｍとロック部１００ｂの爪（図示略）とが結束方向に係合可能となっている。
【００１９】
図６は、結束バンド把持用先端工具１の全体を示している。結束バンド把持用先端工具１は、把持工具本体１０と、可動部２１、２２とを有している。把持工具本体１０は、下部絶縁棒１１と、中央絶縁棒１２と、上部絶縁棒１３と、支持具１４と、第１の可動アーム１５と、第２の可動アーム１６と、第１のロッド１７と、第２のロッド１８と、レバー１９とを有している。下部絶縁棒１１は、結束バンド把持用先端工具１の最も下端に位置しており、作業者が両手で把持する部位である。下部絶縁棒１１の上端部には、中央絶縁棒１２が連結されている。さらに、中央絶縁棒１２の上端部には、上部絶縁棒１３が連結されている。中央絶縁棒１２および上部絶縁棒１３には、雨などの付着による水滴の流下を抑制する絶縁鍔がそれぞれ形成されている。
【００２０】
上部絶縁棒１３の上端部には、金属製の支持具１４が取付けられている。支持具１４の上部には、支持ピン１４ａが固定されている。第１の可動アーム１５は、支持ピン１４ａを介して支持具１４に揺動可能に支持されている。第２の可動アーム１６は、支持ピン１４ａを介して支持具１４に揺動可能に支持されている。第１の可動アーム１５および第２の可動アーム１６は、第１のロッド１７の上端部に位置する連結具１７ａに連結されている。第１のロッド１７の下端部には、第２のロッド１８の上端部が連結されている。下部絶縁棒１１には、レバー１９が揺動可能に支持されている。レバー１９上端部には、第２のロッド１８の下端部がピン連結されている。第１の可動アーム１５および第２の可動アーム１６は、レバー１９の矢印Ｆ１方向の操作によって、矢印Ｆ２に示すように、互いに進退可能となっている。
【００２１】
第１の可動アーム１５の先端部１５ａは自由端となっており、図１に示すように矢印Ｆ２方向に揺動可能となっている。同様に、第２の可動アーム１６の先端部１６ａは自由端となっており、同様に矢印Ｆ２方向に揺動可能となっている。第１の可動アーム１５の先端部１５ａと第２の可動アーム１６の先端部１６ａは、対向して配置されている。第１の可動アーム１５の先端部１５ａの背面側には、外方に延びるピン１５ｂが取付けられている。第２の可動アーム１６の先端部１６ａの背面側にも、外方に延びるピン１６ｂが取付けられている。第１の可動アーム１５の先端部１５ａにおける第２の可動アーム１６の先端部１６ａと対向する面には、板状のベース１５ｃが固定されている。第２の可動アーム１６の先端部１６ａにおける第１の可動アーム１５の先端部１５ａと対向する面には、板状のベース１６ｃが固定されている。
【００２２】
第１の可動アーム１５側のベース１５ｃには、第１の可動部２１が取付けられており、第２の可動アーム１６側のベース１６ｃには、第２の可動部２２が取付けられている。第１の可動部２１および第２の可動部２２は、把持工具本体１０の操作によって結束バンド１００を把持する方向に移動可能となっている。この実施の形態においては、第１の可動部２１と第２の可動部２２の二つの部材に、後述するロック部収容部と、バンド部導入口と、バンド部排出口とがそれぞれ形成され、結束バンド１００を左右方向から同じ状態で把持するようになっている。すなわち、この実施の形態においては、結束バンド１００の右側半分を第１の可動部２１で把持し、結束バンド１００の左側半分を第２の可動部２２で把持するようにしている。
【００２３】
第１の可動部２１には、ロック部収容部２１ａと、バンド部導入口２１ｂと、バンド部排出口２１ｃと、バンド付け根収容部２１ｄとが形成されている。ロック部収容部２１ａは、図９に示す結束バンド１００のロック部１００ｂを収容する機能を有している。バンド部導入口２１ｂは、ロック部収容部２１ａに収容されたロック部１００ｂに向けてバンド部１００ａの先端部Ｓを導く機能を有している。図５に示すように、バンド部導入口２１ｂは、一方が可動部２１の前面Ｐ１側に開口しており、他方がロック部収容部２１ａに向けて開口している。バンド部導入口２１ｂは、上面が傾斜面に形成されており、ロック部収容部２１ａに近づくにつれて徐々にバンド部１００ａの厚み方向の規制幅が小に設定されている。バンド部排出口２１ｃは、ロック部１００ｂを貫通したバンド部１００ａの先端部Ｓを可動部２１の外側に排出させる機能を有している。
【００２４】
図１に示すように、第２の可動部２２には、ロック部収容部２２ａと、バンド部導入口２２ｂと、バンド部排出口２２ｃと、バンド付け根収容部２２ｄとが形成されている。ロック部収容部２２ａは、図９に示す結束バンド１００のロック部１００ｂを収容する機能を有している。バンド部導入口２２ｂは、図５のバンド部導入口２１ｂと同様に、ロック部収容部２２ａに収容されたロック部１００ｂに向けてバンド部１００ａの先端部Ｓを導く機能を有している。すなわち、バンド部導入口２２ｂは、一方が可動部２２の前面側に開口しており、他方がロック部収容部２２ａに向けて開口している。バンド部導入口２２ｂは、上面が傾斜面に形成されており、ロック部収容部２２ａに近づくにつれて徐々にバンド部１００ａの厚み方向の規制幅が小に設定されている。バンド部排出口２２ｃは、ロック部１００ｂを貫通したバンド部１００ａの先端部Ｓを可動部２２の外側に排出させる機能を有している。
【００２５】
つぎに、結束バンド把持用先端工具１による防護管の取付け作業の手順および作用について説明する。
【００２６】
図８は、結束バンド把持用先端工具１による防護管１２０の電線１１０への取付け作業を示している。図８の作業に入る前には、図７に示すように、結束バンド１００は、予め作業者によって第１の可動部２１と第２の可動部２２とによって把持される。この状態では、結束バンド１００のロック部１００ｂは、右側半分が第１の可動部２１のロック部収容部２１ａに収容され、左側半分が第２の可動部２２のロック部収容部２２ａに収容されている。そして、結束バンド１００のバンド部１００ａの付け根部分は、図７に示すように、右側半分が第１の可動部２１のバンド付け根収容部２１ｄに収容され、左側半分が第２の可動部２２のバンド付け根収容部２２ｄに収容されている。この状態では、結束バンド１００のバンド部１００ａの先端部Ｓは、ロック部１００ｂには貫通されておらず、自由状態となっている。
【００２７】
つぎに、結束バンド１００を把持した状態で、結束バンド把持用先端工具１を上昇させ、第１の可動部２１と第２の可動部２２を電線１１０に被せられた防護管１２０の近傍まで移動させる。図８に示すように、防護管１２０は、軸方向に延びる開口部１２０ａを有しており、開口部１２０ａを一時的に拡張させることにより、防護管１２０内に電線１１０を収納させることが可能となっている。そして、防護管１２０を電線１１０に確実に取付けるためには、結束バンド１００を介して防護管１２０を電線１１０に固定する必要がある。
【００２８】
結束バンド１００によって防護管１２０を電線１１０に固定するためには、まず結束バンド１００のバンド部１００ａの先端部Ｓを防護管１２０の位置よりも高い位置に持ち上げた後、バンド部１００ａの先端部Ｓの近傍を「やっとこ」と呼ばれる既存の把持工具４０を用いて把持し、第１の可動部２１と第２の可動部２２に近づける。そして、バンド部１００ａの先端部Ｓをバンド部導入口２１ｂ、２２ｂに進入させ、バンド部１００ａの先端部Ｓをロック部１００ｂに挿入する。すなわち、図５に示すように、バンド部１００ａの先端部Ｓを既存の把持工具４０を用いて矢印Ｆ３方向に押し込むことにより、バンド部１００ａの先端部Ｓをロック部１００ｂに挿入する。そして、バンド部１００ａの先端部Ｓを既存の把持工具４０を用いてさらに矢印Ｆ３方向に押し込むことにより、バンド部１００ａの先端部Ｓはロック部１００ｂを貫通することになる。つぎに、バンド部１００ａを既存の把持工具４０を用いてさらに矢印Ｆ３方向に押し込むことにより、バンド部１００ａの先端部Ｓは、矢印Ｆ４方向に進み、バンド部排出口２１ｃ、２２ｃを介して可動部２１、２２の外側に排出させられる。
【００２９】
バンド部１００ａの先端部Ｓがバンド部排出口２１ｃ、２２ｃから完全に排出された状態では、レバー１９の操作によって第１の可動アーム１５と第２の可動アーム１６が互いに離れる方向に移動し、結束バンド１００の結束バンド把持用先端工具１による把持は終了する。その後、バンド部排出口２２ｃから完全に排出されたバンド部１００ａの先端部Ｓが既存の把持工具４０によって矢印Ｆ４方向に引張られ、防護管１２０は結束バンド１００を介して電線１００に取付けられることになる。
【００３０】
ここで、図１０に示すように、防護管１２０の開口部１２０ａに対して結束バンド１００は直交する方向に延びることになるので、開口部１２０ａが大きく拡張することはなくなり、防護管１２０は電線１１０に確実に取付けられる。すなわち、結束バンド１００は、ロック部１００ｂの爪（図示略）とバンド部１００ａの溝Ｍとが係合した状態では、バンド部１００ａはラチェット機構の原理と同じようにロック部１００ｂに対して逆方向（図５の矢印Ｆ３と反対方向）に動くことができなくなる。これにより、バンド部１００ａの溝Ｍとロック部１００ｂが係合した状態では、防護管１２０は、結束バンド１００によって開口部１２０ａがほぼ最小となる状態に拘束される。したがって、防護管１２０は、結束バンド１００の締付けによる拘束によって、開口部１２０ａを介して電線１１０から離脱するのが阻止され、電線１１０に確実に取付けられる。
【００３１】
このように、第１の可動部２１および第２の可動部２２によって結束バンド１００を把持した状態では、バンド部１００ａの先端部Ｓがバンド部導入口２１ｂ、２２ｂを介してロック部収容部２１ａ、２１ｂに収容されたロック部１００ｂに案内され、ロック部１００ｂを貫通したバンド部１００ａの先端部Ｓがバンド部排出口２１ｃ、２２ｃから排出されるので、結束バンド１００のバンド部１００ａとロック部１００ｂとを離れた位置から容易に係合させることが可能となる。したがって、絶縁テープやシート用クランプなどを用いた従来の間接活線工法に比べ、作業の迅速化と低コスト化を図ることができる。そして、結束バンド１００を用いた間接活線工法では、上述のように作業が円滑かつ確実に行うことが可能となるので、作業時における精神的、肉体的な疲労を軽減することができる。
【００３２】
また、バンド部導入口２１ｂ、２２ｂは、ロック部収容部２１ａ、２２ｂに近づくにつれてバンド部１００ａの厚み方向の規制幅が小に設定されているので、バンド導入口２１ｂ、２２ｂに導かれたバンド部１００ａの先端部Ｓを容易に結束バンド１００のロック部１００ｂに案内することができ、作業能率を高めることができる。さらに、把持工具本体１０は、レバー１９およびロッド１７、１８を介して可動部２１、２２の移動操作が可能であるので、大きく離れた位置からでも結束バンド１００の結束を行うことが可能となる。
【００３３】
このように、結束バンド把持用先端工具１を用いることにより、熟練を必要とすることなく、結束バンド１００のバンド部１００ａとロック部１００ｂとを離れた位置から容易に係合することが可能となるので、初めての作業であっても誰にでも容易に作業を行うことができる。また、結束バンド１００による作業は、固定する対象物がほとんど限定されないので、例えば装柱が複雑な場所や狭い場所であっても適用可能であり、小さな作業空間での作業が可能となる。また、間接活線工法において、結束バンド１００による結束が容易にできることで、間接活線工法の作業メニューを増やすことができ、結束バンド１００を用いた作業の適用範囲を拡大することができる。
【００３４】
以上、この発明の実施の形態を詳述してきたが、具体的な構成は上記の実施の形態に限られるものではなく、この発明の要旨を逸脱しない範囲の設計の変更等があっても、この発明に含まれる。例えば、この実施の形態においては、第１の可動部２１と第２の可動部２２にそれぞれロック部収容部２１ａ、２２ａなどを形成し、結束バンド１００を左右方向から同じ構成で把持するようにしているが、図１１に示すように、第２の可動部２２にのみロック部１００ｂを収納するロック部収容部２２ａや、バンド部の先端部Ｓを案内するバンド部導入口２２ｂと、バンド部の先端部を排出させるためのバンド部排出口２２ｃとを形成し、第１の可動部２１と第２の可動部２２の二つの部材で結束バンド１００を左右方向から把持する構成としてもよい。
【００３５】
また、結束バンド１００は、バンド部１００ａの溝Ｍとロック部１００ｂの爪（図示略）との係合により結束させる構造のものを使用したが、バンド部とロック部が結束方向に係合する構造であれば、他の種類の結束バンドを用いる構成としてもよい。さらに、結束バンド把持用先端工具１による間接活線工法は、図８に示す電線１１０への防護管１２０の取付けに限定されることはなく、配電設備や送電鉄塔など種々の間接活線工法に適用することができる。
【００３６】
さらに、上述の実施の形態においては、第１の可動部２１と第１の可動部２２に形成されるロック部収容部２１ａ、２２ａなどは、結束バンド１００のサイズに合せて寸法が設定されているが、第１の可動部２１と第１の可動部２２を弾性変形可能なゴムなどの弾性体で構成することや、バネ部材などの弾性体を第１の可動部２１と第１の可動部２２に装着させることにより、異なるサイズの結束バンドも把持することが可能となる。
【符号の説明】
【００３７】
１                結束バンド把持用先端工具
１０              把持工具本体
１９              レバー
２１              第１の可動部（可動部）
２１ａ            ロック部収容部
２１ｂ            バンド部導入口
２１ｃ            バンド部排出口
２２              第２の可動部（可動部）
２２ａ            ロック部収容部
２２ｂ            バンド部導入口
２２ｃ            バンド部排出口
１００            結束バンド
１１０            電線
１２０            防護管
【図１】
0005295323.tif 000002
【図２】
0005295323.tif 000003
【図３】
0005295323.tif 000004
【図４】
0005295323.tif 000005
【図５】
0005295323.tif 000006
【図６】
0005295323.tif 000007
【図７】
0005295323.tif 000008
【図８】
0005295323.tif 000009
【図９】
0005295323.tif 000010
【図１０】
0005295323.tif 000011
【図１１】
0005295323.tif 000012